(57)【要約】【課題】本発明は、出力対象の基本画像に広告画像等の付加画像を合成して出力する画像処理装置、画像処理方法、画像処理プログラム及び記録媒体に関する。【解決手段】デジタルカラー複合装置１は、画像処理制御部１０１が、画像読み取り部５で読み取った原稿の読み取り画像や外部メディア入出力部８を介して記録媒体ＫＢから読み取った写真画像等の基本画像の特徴を示す画像特徴情報を取得して、該基本画像の画像特徴情報に基づいて、ハードディスク１０４等から該基本画像の画像データに対応させて合成画像として割り付ける付加画像の画像データを選択し、該基本画像の画像データと該付加画像の画像データを、複数の画像領域を有する出力フォーム等の所定の出力形式における該画像領域に割り付けて合成画像データを生成して、合成画像を印刷部４で用紙に印刷出力する。【選択図】          図３
2010252163.tif 000002
【特許請求の範囲】
【請求項１】
複数の画像領域を有する所定の出力形式の該画像領域に対して、基本画像の画像データと付加画像の画像データを割り付けて合成画像データを生成する画像処理装置において、
前記基本画像の画像データを取得する基本画像取得手段と、
前記基本画像の特徴を示す画像特徴情報を取得する特徴情報取得手段と、
前記付加画像の画像データを複数種類保管する付加画像保管手段と、
前記特徴情報取得手段の取得した前記基本画像の画像特徴情報に基づいて前記付加画像保管手段から該基本画像の画像データに対応させて前記合成画像として割り付ける前記付加画像の画像データを選択する付加画像選択手段と、
前記基本画像の画像データと前記付加画像選択手段の選択した付加画像の画像データを前記出力形式の前記画像領域に割り付けて合成画像データを生成する画像合成手段と、
を備えていることを特徴とする画像処理装置。
【請求項２】
前記基本画像取得手段は、原稿の画像を読み取る画像読み取り手段によって読み取られた読み取り画像データまたは／及び撮像手段によって撮像された撮像画像データを前記基本画像の画像データとして取得し、
前記特徴情報取得手段は、前記基本画像取得手段の取得した前記基本画像の画像データが、前記読み取り画像データであるか前記撮像画像データであるかの情報を前記画像特徴情報として取得することを特徴とする請求項１記載の画像処理装置。
【請求項３】
前記特徴情報取得手段は、前記基本画像における文字と画像の比率、前記出力形式がカラー出力であるかモノクロ出力であるかの出力カラーモード及び文字サイズのうち少なくとも１つを前記画像特徴情報として取得することを特徴とする請求項１または請求項２記載の画像処理装置。
【請求項４】
前記付加画像保管手段は、前記付加画像の画像データを、カラー画像であるか白黒画像であるかのカラー種別、文字と画像の比率及び文字の大きさ等の付加画像種別毎に分類して保管し、
前記付加画像選択手段は、前記画像特徴情報に基づいて前記付加画像種別を選択して該付加画像種別に属する前記付加画像の画像データを選択することを特徴とする請求項１から請求項３のいずれかに記載の画像処理装置。
【請求項５】
前記特徴情報取得手段は、前記基本画像取得手段の取得した前記基本画像の向き情報をも取得し、
前記画像合成手段は、前記基本画像取得手段の取得した前記向き情報に基づいて前記基本画像の画像データと前記付加画像の画像データをその向きを合わせて割り付けて合成画像データを生成することを特徴とする請求項１から請求項４のいずれかに記載の画像処理装置。
【請求項６】
前記画像処理装置は、前記出力形式を設定する出力形式設定手段を備え、
前記画像合成手段は、前記基本画像の画像データと前記付加画像選択手段の選択した付加画像の画像データを前記出力形式設定手段で設定された前記出力形式の前記画像領域に割り付けて合成画像データを生成することを特徴とする請求項１から請求項５のいずれかに記載の画像処理装置。
【請求項７】
複数の画像領域を有する所定の出力形式の該画像領域に対して、基本画像の画像データと付加画像の画像データを割り付けて合成画像データを生成する画像処理方法であって、
前記基本画像の画像データを取得する基本画像取得処理ステップと、
前記基本画像の特徴を示す画像特徴情報を取得する特徴情報取得処理ステップと、
前記特徴情報取得処理ステップで取得された前記基本画像の画像特徴情報に基づいて、前記付加画像の画像データを複数種類保管する付加画像保管手段から該基本画像の画像データに対応させて前記合成画像として割り付ける前記付加画像の画像データを選択する付加画像選択処理ステップと、
前記基本画像の画像データと前記付加画像選択処理ステップで選択された付加画像の画像データを前記出力形式の前記画像領域に割り付けて合成画像データを生成する画像合成処理ステップと、
を有していることを特徴とする画像処理方法。
【請求項８】
複数の画像領域を有する所定の出力形式の該画像領域に対して、基本画像の画像データと付加画像の画像データを割り付けて合成画像データを生成する画像処理プログラムであって、
コンピュータに、
前記基本画像の画像データを取得する基本画像取得処理と、
前記基本画像の特徴を示す画像特徴情報を取得する特徴情報取得処理と、
前記特徴情報取得処理で取得された前記基本画像の画像特徴情報に基づいて、前記付加画像の画像データを複数種類保管する付加画像保管手段から該基本画像の画像データに対応させて前記合成画像として割り付ける前記付加画像の画像データを選択する付加画像選択処理と、
前記基本画像の画像データと前記付加画像選択処理で選択された付加画像の画像データを前記出力形式の前記画像領域に割り付けて合成画像データを生成する画像合成処理と、
を実行させることを特徴とする画像処理プログラム。
【請求項９】
請求項８記載の画像処理プログラムを記録したことを特徴とするコンピュータが読み取り可能な記録媒体。
【発明の詳細な説明】
【技術分野】
【０００１】
本発明は、画像処理装置、画像処理方法、画像処理プログラム及び記録媒体に関し、詳細には、出力対象の画像に広告画像等の付加画像を合成して出力する画像処理装置、画像処理方法、画像処理プログラム及び記録媒体に関する。
【背景技術】
【０００２】
今日、コンビニエンス・ストア、スーパー、公共施設等のオープン・スペースに、有料の複写サービスやファクシミリ送信サービス等を提供するデジタル複写装置や複合装置等の画像処理装置が設置され、このような画像処理装置は、サービスの提供に際して、まず、課金装置への料金の投入を依頼して、投入料金に応じた枚数のコピー出力やファクシミリ送信を顧客に提供するようになっている。この場合、課金装置としては、現金が投入される場合に限らず、プリペイド・カードを利用したプリペイド・リーダが利用されている場合もある。
【０００３】
ところが、近年、このような有料のコピーサービス等を提供する画像処理装置の利用を図るとともに、各種広告媒体としての画像処理装置の利用を図るために、顧客の要求する出力対象の画像に対して、広告画像等の付加画像を付加・合成して画像出力することを条件として、課金料金を割り引いたり、無料にする画像処理装置が出現している。
【０００４】
このような画像処理装置においては、例えば、原稿読み取り部で読み取られた原稿の読み取り画像または予め原稿読み取り部で読み取られてハードディスク等に保存されている読み取り画像を、原稿画像を縮小して生じた欄外の領域に合成して出力する。このような付加画像は、予めハードディスク等の不揮発性メモリに保管されているだけでなく、近年、通信網の発達に伴ってＬＡＮ（Local Area Network）を経由してインターネットに接続されている広告画像データを提供する各サーバとデータ通信を行って、該各サーバ上に存在するクライアントの広告画像データを付加画像として受け取って原稿画像に付加して出力し、該付加画像を原稿画像に付加した合成画像を記録紙等の用紙に印刷出力すると、該出力枚数に応じて課金する金額の一部を該クライアントが負担することで、原稿画像を複写するユーザが支払うコピー料金を減額したり、無料にすることが行われている。
【０００５】
このような、広告画像等の付加画像の画像合成においては、従来、原稿画像と付加画像の双方がカラー画像または白黒画像であると、一方を白黒画像またはカラー画像に変更して付加することで、付加画像を強調させる技術が提案されている（特許文献１参照）。
【発明の概要】
【発明が解決しようとする課題】
【０００６】
しかしながら、上記従来技術にあっては、原稿画像と付加画像の双方がカラー画像であると、一方を白黒画像に変更して付加画像を原稿画像に付加し、また、原稿画像と付加画像の双方が白黒画像であると、一方をカラー画像に変更して付加画像を原稿画像に付加しているのみであるため、本来の出力対象である原稿画像の画像品質を劣化させたり、見にくい状態になるおそれがあるだけでなく、付加画像が広告画像等であって強調させたい場合にも、強調効果がかえって低下する場合があり、改良の必要があった。
【０００７】
そこで、本発明は、基本画像の画像品質を適切に保持しつつ、付加画像を強調させる合成画像を生成する画像処理装置、画像処理方法、画像処理プログラム及び記録媒体を提供することを目的としている。
【課題を解決するための手段】
【０００８】
本発明は、上記目的を達成するために、基本画像の特徴を示す画像特徴情報を取得して、該基本画像の画像特徴情報に基づいて、付加画像の画像データを複数種類保管する付加画像保管手段から該基本画像の画像データに対応させて合成画像として割り付ける付加画像の画像データを選択し、該基本画像の画像データと該付加画像の画像データを、複数の画像領域を有する所定の出力形式の該画像領域に割り付けて合成画像データを生成することを特徴としている。
【０００９】
また、本発明は、原稿の画像を読み取る画像読み取り手段によって読み取られた読み取り画像データまたは／及び撮像手段によって撮像された撮像画像データを前記基本画像の画像データとして、該基本画像の画像データが、該読み取り画像データであるか該撮像画像データであるかの情報を前記画像特徴情報として取得することを特徴としてもよい。
【００１０】
さらに、本発明は、前記基本画像における文字と画像の比率、前記出力形式がカラー出力であるかモノクロ出力であるかの出力カラーモード及び文字サイズのうち少なくとも１つを前記画像特徴情報として取得することを特徴としてもよい。
【００１１】
また、本発明は、前記付加画像保管手段が、前記付加画像の画像データを、カラー画像であるか白黒画像であるかのカラー種別、文字と画像の比率及び文字の大きさ等の付加画像種別毎に分類して保管し、前記画像特徴情報に基づいて該付加画像種別を選択して該付加画像種別に属する前記付加画像の画像データを選択することを特徴としてもよい。
【発明の効果】
【００１２】
本発明によれば、基本画像の画像特徴に応じて付加画像を選択して、基本画像の画像品質を適切に保持することができるとともに、付加画像を強調させる合成画像を生成することができる。
【図面の簡単な説明】
【００１３】
【図１】本発明の一実施例を適用した複合装置の外観斜視図。
【図２】操作表示部の平面図。
【図３】デジタルカラー複合装置のブロック構成図。
【図４】初期画面の一例を示す図。
【図５】コピーモード選択画面の一例を示す図。
【図６】コピー処理を示すフローチャート。
【図７】料金投入指示画面の一例を示す図。
【図８】カラーモード選択画面の一例を示す図。
【図９】原稿種類選択画面の一例を示す図。
【図１０】用紙選択画面の一例を示す図。
【図１１】濃度・部数設定画面の一例を示す図。
【図１２】コヒモード選択処理を示すフローチャート。
【図１３】広告画像合成処理を示すフローチャート。
【図１４】多文字原稿の一例を示す図。
【図１５】多文字原稿を縮小して広告画像と合成する画像合成処理の説明図。
【図１６】少文字原稿の一例を示す図。
【図１７】少文字原稿を縮小して広告画像と合成する画像合成処理を示す図。
【図１８】原稿の文字の多少に基づいて広告画像を選択して合成する広告画像合成処理を示す図。
【図１９】多文字カラー画像原稿の一例を示す図。
【図２０】多文字カラー画像原稿を縮小して広告画像と合成する画像合成処理の説明図。
【図２１】少文字カラー画像原稿の一例を示す図。
【図２２】少文字カラー画像原稿を縮小して白黒文字中心の広告画像と合成する画像合成処理の説明図。
【図２３】原稿の文字の多少とカラー／モノクロに基づいて広告画像を選択して合成する広告画像合成処理示すフローチャート。
【図２４】多文字白黒画像原稿の一例を示す図。
【図２５】多文字白黒画像原稿を縮小して広告画像と合成する画像合成処理の説明図。
【図２６】少文字カラー画像原稿を縮小してカラー文字中心の広告画像と合成する画像合成処理の説明図。
【図２７】少文字白黒画像原稿の一例を示す図。
【図２８】少文字白黒画像原稿を縮小して広告画像と合成する画像合成処理の説明図。
【図２９】原稿の文字サイズに基づいて広告画像を選択して合成する広告画像合成処理を示すフローチャート。
【図３０】大文字原稿の一例を示す図。
【図３１】大文字原稿を縮小して広告画像と合成する画像合成処理の説明図。
【図３２】小文字原稿の一例を示す図。
【図３３】小文字原稿を縮小して広告画像と合成する画像合成処理の説明図。
【図３４】印刷モード選択画面の一例を示す図。
【図３５】印刷処理を示すフローチャート。
【図３６】図３５に示されている印刷処理の続きの処理を示すフローチャート。
【図３７】写真画像の通常印刷と広告付き印刷のフォーム例を示す図。
【図３８】メディア選択画面の一例を示す図。
【図３９】フォーム選択画面の一例を示す図。
【図４０】印刷タイプ選択画面の一例を示す図。
【図４１】用紙選択画面の一例を示す図。
【図４２】写真選択画面の一例を示す図。
【図４３】写真画像を指定フォームにはめ込んで広告画像と合成する画像合成処理の説明図。
【図４４】印刷イメージ選択画面の一例を示す図。
【図４５】印刷モード選択処理を示すフローチャート。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図４５は、本発明の画像処理装置、画像処理方法、画像処理プログラム及び記録媒体の一実施例を示す図であり、図１は、本発明の画像処理装置、画像処理方法、画像処理プログラム及び記録媒体の一実施例を適用したデジタルカラー複合装置（画像処理装置）１の外観斜視図である。
【００１６】
図１において、デジタルカラー複合装置１は、電子写真方式等の所定の印刷方式で用紙に画像を形成する印刷機能、原稿を主走査及び副走査して該原稿の画像を読み取る原稿読み取り機能、原稿読み取り機能で読み取った原稿の画像等の画像データを、通信機能を利用してファクシミリ送信したり該通信機能を利用して相手装置から画像データを受信するファクシミリ機能、原稿読み取り機能で読み取った原稿の画像データを印刷機能で用紙に印刷出力する複写機能、データを指定された外部装置に配信する配信機能等の複数の機能を実行するいわゆるＭＦＰ（Multi Function Peripheral）であり、本体筐体２の下部から給紙部３、印刷部４、画像読み取り部５、操作表示部６が配設されていて、画像読み取り部５の上部にＡＤＦ（Auto Document Feeder：自動原稿送給装置）７が配設されている。
【００１７】
給紙部３は、複数の給紙トレイ３ａを備え、各給紙トレイ３ａは、用紙サイズの異なる複数枚の用紙を収納可能である。給紙部３は、選択された給紙トレイ３ａから１枚ずつ用紙を送り出して印刷部４に搬送する。
【００１８】
印刷部４は、所定の印刷方式、例えば、電子写真方式で画像データに基づいて、給紙部３から搬送されてくる用紙に画像を印刷出力処理する。なお、印刷部４は、その印刷方式が電子写真方式に限るものではなく、任意の印刷方式であってよく、例えば、インク噴射方式等であってもよい。
【００１９】
ＡＤＦ７は、複数枚の原稿がセットされる原稿トレイを備え、該原稿トレイ上にセットされた原稿を１枚ずつ画像読み取り部５の原稿読み取り台上に送給する。
【００２０】
画像読み取り部（画像読み取り手段）５は、図示しないが、コンタクトガラスや原稿読み取りガラス等の原稿が手操作で載置されたり、ＡＤＦ７から搬送される原稿読み取り台及び該原稿読み取り台を挟んで原稿と反対側に配置されて固定的に配置される原稿に対して副走査方向に移動可能に配置または搬送される原稿に対して固定的に配置された走査光学部等を備えている。画像読み取り部５は、走査光学部の光源から原稿読み取り台上の原稿に読み取り光を照射して原稿で反射された反射光をミラー及びレンズ等を介して光電変換素子（例えば、ＣＣＤ（Charge Coupled Device ）等）に集光してアナログのＲＧＢ画像データに光電変換することで原稿を主走査及び副走査して該原稿の画像を読み取る。
【００２１】
操作表示部（出力形式設定手段）６には、図２に示すように、オペレータに対する各種情報を表示する表示部６ａ及びオペレータからの機能設定、各種動作指示操作等の各種の入力を受け付ける操作部６ｂが設けられており、表示部６ａは、オペレータに通知する各種情報及び各種機能が割り付けられ機能ボタンを表示するＬＣＤ（Liquid Crystal Display）等の表示パネル上に、指やタッチペン等によって機能ボタン等のタッチ操作を超音波弾性波方式等で検知するタッチパネル６ｃが積層されている。操作部６ｂは、例えば、画像読み取りの開始を指示操作するためのスタートキー、数値入力を行うためのテンキー、画像データの送信先の指定や画像読み取り条件を設定する読み取り条件設定キー、クリアキー等の各種キーが設けられている。操作表示部６は、その操作部６ｂ及びタッチパネル６ｃにおいて、後述する画像出力の出力形式（出力フォーム、出力用紙、濃度等）の設定行われる。
【００２２】
また、操作表示部６には、外部メディア入出力部８が設けられており、外部メディア入出力部８には、記録媒体ＫＢ（図３参照）の挿入される挿入口が開口する状態で設けられている。外部メディア入出力部８には、磁気、光、または、電気を利用してデータの読み書きを行うことが可能な携帯性を有する可搬性の外部記録メディア、例えば、スマートメディア、ＤＶＤ（Digital Video Disk）、ＣＤ−Ｒ（Compact Disc Recordable ）、ＣＤ−ＲＷ（Compact Disc Rewritable ）、コンパクトフラッシュ（ＣＦ：登録商標）、マルチメディアカード（ＭＭＣ）、ＳＤカード（Secure Digital：ＳＤ）、メモリースティック（Memory Stick：ＭＳ）、ＵＳＢ（Universal Serial Bus）メモリ等が挿入口から着脱可能に挿入される。外部メディア入出力部８は、挿入された記録媒体ＫＢから該記録媒体ＫＢに記録されているプログラムや画像、文書、図形等のデータ等を読み取り、また、記録媒体ＫＢにプログラムや各種データを書き込む。
【００２３】
そして、デジタルカラー複合装置１は、図３に示すように、大きく分けて、画像処理ユニット部１００と情報処理ユニット部２００を備えており、画像処理ユニット部１００と情報処理ユニット部２００は、ハブ（ＨＵＢ）１０を介して接続されている。ハブ１０は、ＬＡＮ（Local Area Network）等のネットワークＮＷにも接続されており、デジタルカラー複合装置１は、ハブ１０を介してネットワークＮＷに接続されている他の機器、例えば、コンピュータ、プリンタ装置、スキャナ装置、複合装置及びサーバ装置等と接続されている。
【００２４】
画像処理ユニット部１００は、画像処理制御部１０１、印刷制御部１０２、上記印刷部４、画像読み取り制御部１０３、上記画像読み取り部５、ハードディスク（ＨＤＤ）１０４、ＦＡＸ制御部１０５、ＬＡＮ制御部１０６、操作入力制御部１０７、表示制御部１０８及び制御パネルＩ／Ｆ１０９等を備えており、画像処理制御部１０１は、ＣＰＵ（Central Processing Unit ）１１１、ＲＯＭ（Read Only Memory）１１２、ＳＤＲＡＭ（Synchronous Dynamic Random Access Memory）１１３及びＮＶＲＡＭ（Nonvolatile Random Access Memory）１１４等がバス接続されているマイクロコンピュータ構成となっている。
【００２５】
また、情報処理ユニット部２００は、ＣＰＵ２０１、メモリ部２０２、ＬＡＮ制御部２０３、記憶部２０４、記憶制御部２０５、表示制御部２０６、操作入力制御部２０７、制御パネルＩ／Ｆ２０８、上記操作表示部６、制御パネル通信部２０９、入出力デバイス制御部２１０、各種インターフェイス２１１及び上記外部メディア入出力部８等を備えており、上記操作表示部６には、上述のように、表示部６ａ、操作部６ｂ、タッチパネル６ｃ及び外部メディア入出力部８が設けられているが、その他に、音声を拡声出力するスピーカ、ブザー音を拡声出力するブザー、各種動作状態を点灯／消灯等で表示するＬＥＤ（Light Emitting Diode）ランプ等が設けられていてもよい。
【００２６】
まず、画像処理ユニット部１００の画像処理制御部１０１について説明する。画像処理制御部１０１のＮＶＲＡＭ１１４は、不揮発性メモリであり、デジタルカラー複合装置１の電源がオフの場合にも記憶しておくべきデータを記憶する。ＲＯＭ１１２は、デジタルカラー複合装置１の制御プログラム及びシステムデータ等を格納しており、ＳＤＲＡＭ１１３は、ＣＰＵ１１１のワークメモリとして利用される。画像処理制御部１０１には、ハードディスク１０４が接続されており、ハードディスク１０４は、各種データ、例えば、読み取り画像データやネットワークＮＷを介して受信した画像データ及びジョブ履歴等がＣＰＵ１１１の制御下で格納される。ハードディスク１０４は、特に、基本画像データ（例えば、画像読み取り部５で読み取った原稿画像データやデジタルスチルカメラ等の撮像手段によって撮像された写真画像データ等）に付加・合成する付加画像の画像データ、例えば、広告画像の画像データが予め格納されており、この付加画像データは、例えば、用紙サイズ（Ａ３、Ｂ４、Ａ４、Ｂ５、Ａ５等）、原稿種類（カラー、モノクロ等）、原稿種別（文字が多いまたは文字のみである多文字原稿、文字が少ないまたは文字のない少文字原稿、また、文字サイズが大きい大文字原稿、文字サイズが小さい小文字原稿等）及び原稿の方向（例えば、縦、横等）等のカテゴリ（付加画像種別）毎に分類して格納されている。
【００２７】
そして、画像処理制御部１０１は、そのＣＰＵ１１１がＲＯＭ１１２のプログラムに基づいて、ＳＤＲＡＭ１１３をワークメモリとして利用しつつデジタルカラー複合装置１の各部を制御してデジタルカラー複合装置１としての基本処理及び後述する本発明の基本画像の画像特徴情報に基づいて付加画像を選択して基本画像と付加画像を合成する画像処理を実行するとともに、画像データに必要な画像処理を施して印刷制御部１０２に出力し、また、ＬＡＮ制御部１０６に出力する。この画像処理制御部１０１は、基本画像の特徴を示す画像特徴情報を取得する特徴情報取得手段、取得した基本画像の画像特徴情報に基づいて該基本画像の画像データに対応させて合成画像として割り付ける付加画像の画像データを選択する付加画像選択手段及び基本画像の画像データと選択した付加画像の画像データを所定の出力形式の画像領域に割り付けて合成画像データを生成する画像合成手段として機能する。
【００２８】
印刷制御部１０２には、上記印刷部４が接続されており、印刷制御部１０２は、画像処理制御部１０１で処理された画像データに基づいて印刷部４を制御して、給紙部３から搬送されてきた用紙に画像を印刷出力させる。
【００２９】
画像読み取り制御部１０３には、上記走査光学部によって原稿を主走査及び副走査して原稿の画像を読み取る画像読み取り部５が接続されており、画像読み取り制御部１０３は、画像読み取り部５を制御して原稿の画像を読み取らせて、画像読み取り部５の読み取った原稿のＲＧＢのアナログ画像をＡ／Ｄ変換してＲＧＢ各８ｂｉｔのデジタル画像データを画像処理制御部１０１に出力する。
【００３０】
ＦＡＸ制御部１０５は、ＰＢＸ５０を介して一般公衆回線に接続されており、ファクシミリ機能を備えた相手装置との間で所定のファクシミリ制御信号を交換してファクシミリ通信処理を行って、相手装置との間で画像データの送受信を行う。
【００３１】
ＬＡＮ制御部１０６は、画像処理制御部１０１に接続されているとともに、ハブ１０を介して情報処理ユニット部２００のＬＡＮ制御部２０３及びネットワークＮＷに接続されている。ＬＡＮ制御部１０６には、ネットワークＮＷ上のアドレス（ネットワークアドレス）であるＩＰアドレスが割り当てられており、ＬＡＮ制御部１０６は、ＣＰＵ１１１の制御下で、情報処理ユニット部２００との間で画像データ等のデータの交換を行うとともに、ネットワークＮＷに接続されている端末装置と通信して、画像データの送・受信等を行う。
【００３２】
操作入力制御部１０７及び表示制御部１０８は、画像処理制御部１０１及び制御パネルＩ／Ｆ１０９に接続されており、制御パネルＩ／Ｆ１０９は、通信ケーブル２０によって情報処理ユニット部２００の制御パネル通信部２０９に接続されている。操作入力制御部１０７及び表示制御部１０８は、制御パネルＩ／Ｆ１０９を介して情報処理ユニット部２００と画像処理制御部１０１との間での操作コマンドの入出力処理及び表示データの出力処理を行う。
【００３３】
表示制御部１０８は、画像処理制御部１０１の制御下で制御パネルＩ／Ｆ１０９に接続された通信ケーブル２０を介して情報処理ユニット部２００に対して画像表示制御信号を出力し、情報処理ユニット部２００の操作表示部６の表示部６ａに対する画像表示の制御を行う。また、操作入力制御部１０７は、情報処理ユニット部２００の操作表示部６の操作部６ｂやタッチパネル６ｃからのオペレータによる機能設定及び入力操作に応じた入力制御信号を、画像処理制御部１０１の制御下で制御パネルＩ／Ｆ１０９に接続された通信ケーブル２０を介して画像処理制御部１０１へ取り込む。すなわち、画像処理ユニット部１００は、情報処理ユニット部２００の操作表示部６を通信ケーブル２０を介して直接モニタすることができる構成になっており、画像処理ユニット部１００の表示制御部１０８及び操作入力制御部１０７は、操作表示部６に接続されているものとして動作する。したがって、画像処理ユニット部１００は、既存の画像処理装置が備えている画像処理ユニット部として組み込んで、通信ケーブル２０を接続することで、該既存の画像処理装置の備えている操作表示部を利用することができる。
【００３４】
すなわち、画像処理ユニット部１００は、ＬＡＮ制御部１０６またはＦＡＸ制御部１０５を介して、外部装置（ネットワークＮＷ上のサーバコンピュータ、クライアントコンピュータ、ＰＢＸ５０を介した一般公衆回線上のファクシミリ装置等）からの画像情報である印刷データ及び出力指示コマンド（プリントコマンド等）を解析して、印刷データを出力画像データとして印刷可能なビットマップに展開し、出力モード（例えば、印刷モード）を出力指示コマンドを解析して決定して、印刷出力動作、データ配信動作、ファクシミリ送信動作、蓄積動作等のデータ出力動作を行う。また、画像処理ユニット部１００は、ＳＤＲＡＭ１１３やハードディスク１０４に記憶されている印刷データ、原稿読み取りデータ、これらを出力用に処理した出力画像データ及びこれらのデータを圧縮した圧縮データを外部装置に転送する。
【００３５】
上記情報処理ユニット部２００のＬＡＮ制御部２０３は、ハブ１０を介して画像処理ユニット部１００のＬＡＮ制御部１０６に接続されており、ネットワークＮＷ上のアドレス（ネットワークアドレス）であるＩＰアドレスが割り当てられていて、ＣＰＵ２０１の制御下で、画像処理ユニット部１００との間で画像データ等のデータの交換を行う。このＬＡＮ制御部２０３に割り当てられるＩＰアドレスは、上記画像処理ユニット部１００のＬＡＮ制御部１０６に割り当てられるＩＰアドレスとは異なるアドレスである。すなわち、本実施例のデジタルカラー複合装置１は、２つのＩＰアドレスが割り当てられており、画像処理ユニット部１００と情報処理ユニット部２００が、共にネットワークＮＷに接続されていてネットワークＮＷを介して外部装置との間でデータ通信を行うとともに、画像処理ユニット部１００と情報処理ユニット部２００との間においても、データ交換が可能な構成となっている。
【００３６】
情報処理ユニット部２００は、パーソナルコンピュータ等の情報処理装置に用いられる汎用のＯＳ（Operating System）によって制御されるマイクロコンピュータ構成となっており、ＣＰＵ２０１、メモリ部２０２、記憶部２０４を中心として操作表示部６の動作処理や外部メディア入出力部８及び各種インターフェイス２１１を介した各種データ処理（情報処理）を行う。
【００３７】
すなわち、メモリ部２０２は、メインプロセッサであるＣＰＵ２０１のワークメモリ（作業用メモリ）領域となるＲＡＭや起動プログラム等を記憶する読み出し専用メモリであるＲＯＭで構成され、記憶部２０４は、ハードディスク等で構成されていて、ＯＳや情報処理ユニット部２００の制御に必要なアプリケーションプログラム等を記憶する。
【００３８】
ＣＰＵ２０１は、この記憶部２０４の記憶するアプリケーションプログラムに基づいてメモリ部２０２をワークメモリとして利用して、情報処理ユニット部２００の各部を制御して、操作表示部６の動作制御を行うとともに、後述する本実施例の画像合成処理に必要な合成画像の取得処理等を実行する。
【００３９】
操作表示部６は、図２に示したように、表示部６ａ、操作部６ｂ、タッチパネル６ｃ及び外部メディア入出力部８等が設けられており、外部メディア入出力部８には、上記記録媒体ＫＢが挿入される。表示制御部２０６は、操作表示部６の表示部６ａの表示を制御し、操作入力制御部２０７は、操作表示部６でのテンキーやファンクションキー等の操作部６ｂにおける入力操作の検出及びタッチパネル６ｃを利用したタッチ操作の検出を行う。
【００４０】
表示制御部２０６は、画像表示制御信号を制御パネルＩ／Ｆ２０８を介して表示部６ａに出力し、画像表示制御信号に応じた表示情報を表示部６ａに表示させる。操作入力制御部２０７は、操作部６ｂやタッチパネル６ｃでのオペレータによる機能設定操作等の各種入力操作に応じた入力制御信号を、制御パネルＩ／Ｆ２０８を介して受信してＣＰＵ２０１に渡す。ＣＰＵ２０１には、上述のように、画像処理ユニット部１００の制御パネルＩ／Ｆ１０９と通信ケーブル２０を介して接続されている制御パネル通信部２０９が接続されており、制御パネル通信部２０９は、画像処理ユニット部１００から通信ケーブル２０を介して送られてきた画像表示制御信号を受信し、また、操作表示部６からのオペレータによる入力操作に応じた入力制御信号を画像処理ユニット部１００に転送する。そして、ＣＰＵ２０１は、制御パネル通信部２０９が受信した画像処理ユニット部１００からの画像表示制御信号を、操作表示部６の表示部６ａ用にデータ変換処理してから表示制御部２０６に出力し、また、操作表示部６の操作部６ｂやタッチパネル６ｃからのオペレータによる入力操作に応じた入力制御信号を、画像処理ユニット部１００で処理可能な仕様に応じた形式にデータ変換処理して制御パネル通信部２０９から通信ケーブル２０を介して画像処理ユニット部１００に出力する。
【００４１】
入出力デバイス制御部２１０には、外部メディア入出力部８及び各種インターフェイス２１１等が接続されており、入出力デバイス制御部２１０は、これらの外部メディア入出力部８に装着される記録媒体ＫＢ及び各種インターフェイス２１１に接続される各種デバイスの読み取り制御及び書き込み制御を行う。
【００４２】
そして、本実施例のデジタルカラー複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ、ＤＶＤ、ＳＤカード、ＭＯ（Magneto-Optical Disc）等のコンピュータが読み取り可能な記録媒体に記録されている本発明の画像処理方法を実行する画像処理プログラムを読み込んでＲＯＭ１１２やハードディスク１０４に導入することで、後述する読み取り画像データ等の基本画像データにハードディスク１０４や記録媒体ＫＢ等に記録（保管）されている合成画像データを、所定の合成条件に基づいて合成する画像処理装置として構築されている。この画像処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４３】
そして、上記画像読み取り制御部１０３と画像読み取り部５、ハードディスク１０４、ＬＡＮ制御部１０６、外部メディア入出力部８と記録媒体ＫＢ、ＦＡＸ制御部１０５は、基本画像の画像データを取得する基本画像取得手段として機能している。また、ハードディスク１０４、ＬＡＮ制御部１０６に接続されたサーバ等の外部装置、外部メディア入出力部８と記録媒体ＫＢは、付加画像の画像データを複数種類保管する付加画像保管手段として機能している。
【００４４】
次に、本実施例の作用を説明する。本実施例のデジタルカラー複合装置１は、基本画像の画像特徴情報に基づいて付加画像の画像データを選択して該基本画像の画像データと該付加画像の画像データを合成する。
【００４５】
すなわち、デジタルカラー複合装置１は、電源が投入されると、ハードディスク１０４、ＲＯＭ１１２等に格納されている画像処理プログラムを読み込んで、基本画像データ（画像読み取り部５で読み取られた読み取り画像データや撮像された写真画像データ等）に基づいて付加画像の画像データ（ハードディスク１０４等に予め保管されている広告画像データ等）を選択して、該基本画像の画像データと該付加画像の画像データを所定の出力形式で合成して合成画像データを生成する画像処理装置として構築し、操作部６の表示部６ａに、図４に示すような初期画面Ｇ１を表示する。デジタルカラー複合装置１は、この初期画面Ｇ１として、図４では、「コピー」と「デジタルカメラプリント」の機能ボタンを表示して、コピー機能とデジタルカメラプリント機能のいずれかを選択する画面となっているが、デジタルカラー複合装置１の機能としては、コピー機能とデジタルカメラプリント機能以外にも、スキャナ機能、ファクシミリ通信機能等のその他の機能を備えているため、通常は、初期画面Ｇ１として、これらのその他の機能を含めた機能を選択可能な画面となっているが、本実施例では、説明を明確にするために、コピー機能またはデジタルカメラプリント機能において原稿画像に広告画像を付加する場合について説明するので、「コピー」と「デジタルカメラプリント」の機能ボタンのみを表示している状態を示している。
【００４６】
そして、デジタルカラー複合装置１は、この初期画面Ｇ１で、「コピー」の機能ボタンが選択操作されると、図５に示すように、「通常コピー」と「広告付きコピー」のいずれかのコピーモード（コピー方法）を選択させるコピーモード選択画面Ｇ２を操作表示部６の表示部６ａに表示し、図６に示すように、選択されたコピーモードに応じたコピー処理を実行する。コピーモード選択画面Ｇ２は、図５に示したように、コピーモードとして、画像読み取り部５で読み取った原稿の画像データである基本画像データに広告画像データを付加することなく、基本画像のみを印刷部４で用紙に印刷出力する通常コピーモードを選択する「通常コピー」の機能ボタンと、基本画像データに広告画像データを付加した合成画像データを生成して、生成した合成画像を印刷部４で用紙に印刷出力する広告付きコピーモードを選択する「広告付きコピー」の機能ボタンと、を表示している。
【００４７】
デジタルカラー複合装置１は、図６に示すように、コピーモード選択画面Ｇ２でのコピーモード（コピー方法）の選択が行われると（ステップＳ１０１）、画像処理制御部１０１が、基本画像の画像特徴情報の１つとして取得して、図７に示すような料金投入指示画面Ｇ３を操作表示部６の表示部６ａに表示して、料金の入力（コイン入力）があったかチェックし（ステップＳ１０２）、料金の入力があると、図８に示すようなカラーモード選択画面Ｇ４を操作表示部６の表示部６ａに表示して、カラーモードの選択を促す（ステップＳ１０３）。このカラーモード選択画面Ｇ４は、図８に示すように、白黒で印刷出力する「白黒」、単色で印刷出力する「単色」、フルカラーで印刷出力する「フルカラー」のいずれかのカラーモード（カラー印刷モード）を選択する画面である。
【００４８】
デジタルカラー複合装置１は、カラーモード選択画面Ｇ４で、カラーモードの選択が行われると、画像処理制御部１０１が、基本画像の画像特徴情報の１つとして取得して、次に、図９に示すような原稿種類選択画面Ｇ５を操作表示部６の表示部６ａに表示し、原稿種類の選択を促す（ステップＳ１０４）。この原稿種類選択画面Ｇ５は、図９に示したように、画像読み取り部５で読み取る原稿の種類（原稿種類）が、文字からなる原稿であることを示す「文字」、写真からなる原稿であることを示す「写真」、文字と写真からなる原稿であることを示す「文字・写真」から原稿種類を選択する画面である。
【００４９】
デジタルカラー複合装置１は、原稿種類選択画面Ｇ５で原稿種類の選択が行われると、画像処理制御部１０１が、基本画像の画像特徴情報の１つとして取得して、図１０に示すような用紙選択画面Ｇ６を表示して、画像を印刷出力する用紙の選択を促す（ステップＳ１０５）。この用紙選択画面Ｇ６は、図１０では、印刷部４で画像を印刷出力する用紙を、「Ａ４」、「Ａ３」、「Ｂ５」、「Ｂ４」から選択する画面となっており、カラーモードとして、「白黒」、原稿種類として、「文字」が選択されている状態を示している。
【００５０】
デジタルカラー複合装置１は、用紙選択画面Ｇ６で用紙の選択が行われると、画像処理制御部１０１が、基本画像の画像特徴情報の１つとして取得して、図１１に示すような濃度・部数設定画面Ｇ７を操作表示部６の表示部６ａに表示して、操作部６ｂの数字キーでコピーする部数の入力を促すメッセージ及び必要なコピー濃度の調整と倍率の設定を可能とする。この濃度・部数設定画面Ｇ７は、図１１に示すように、濃度を、「−４」から「＋４」の９段階から選択して、通常コピーの場合に、縮小／拡大の倍率設定を行う画面となっており、カラーモードとして、「白黒」、原稿種類として、「文字」、用紙として、「Ａ４」が選択されている状態を示している。
【００５１】
デジタルカラー複合装置１は、濃度・部数設定画面Ｇ７を表示すると、操作表示部６で必要な設定操作が行われて、原稿が画像読み取り部５にセットされ、操作部６ｂでスタートキーが押下（入力）操作されるのを待つ（ステップＳ１０６）。この画像読み取り部５への原稿のセットは、画像読み取り部５のコンタクトガラス上への原稿のセットまたはＡＤＦ７の原稿台への原稿のセットである。
【００５２】
スタートキーが押下操作されると、デジタルカラー複合装置１は、画像読み取り部５によって原稿の画像を読み取る読み取り処理を行い（ステップＳ１０７）、ステップＳ１０１で選択されたコピーモードが広告付きコピーモードであるか通常コピーモードであるかをチェックする（ステップＳ１０８）。
【００５３】
ステップＳ１０８で、広告付きコピーモードであると、後述するように、デジタルカラー複写装置１は、原稿の画像データに広告画像の画像データを合成して、合成画像データを生成する広告画像合成処理を行う（ステップＳ１０９）。
【００５４】
デジタルカラー複合装置１は、広告画像合成処理を行うと、広告画像を付加することで、課金料金を広告付きコピーに対して設定されている料金（コピー料金を割り引いたり、無料にする料金）に設定して（ステップＳ１１０）、合成画像データを印刷制御部１０２に渡して印刷部４によって上記指定の用紙に印刷出力し（ステップＳ１１１）、印刷が完了すると、上記広告付きコピーの課金料金による課金処理を行ってコピー処理を終了する（ステップＳ１１２）。広告付きコピーの課金料金は、広告依頼主から徴収する広告料金に応じて適宜設定される。
【００５５】
また、デジタルカラー複合装置１は、ステップＳ１０８で、コピーモードが通常コピーモードであると、広告画像合成処理を行うことなく、画像読み取り部５で読み取った原稿の画像データを印刷制御部１０２に渡して印刷部４によって上記指定の用紙に印刷出力し（ステップＳ１１１）、印刷が完了すると、通常コピーの課金料金による課金処理を行ってコピー処理を終了する（ステップＳ１１２）。
【００５６】
そして、デジタルカラー複合装置１は、上記コピーモードの選択は、図１２に示すように処理を行う。すなわち、デジタルカラー複合装置１は、図６に示したコピーモード選択画面Ｇ２においてコピーモードの選択を行うキー入力が行われるのを待ち（ステップＳ２０１）、操作部６ｂでの入力操作またはタッチパネル６ｃでのタッチ操作によってキー入力があると、キー入力で、コピーモードとして、「広告付きコピー」が選択されたか、「通常コピー」が選択されたかをチェックする（ステップＳ２０２）。
【００５７】
デジタルカラー複合装置１は、ステップＳ２０２で、「広告付きコピー」が選択されると、コピーモードとして広告付きコピーモードを設定してコピーモード選択処理を終了し（ステップＳ２０３）、ステップＳ２０２で、「通常コピー」が選択されると、コピーモードとして通常コピーモードを設定してコピーモード選択処理を終了する。
【００５８】
また、デジタルカラー複合装置１は、上記広告画像合成処理を図１３に示すように実行する。すなわち、デジタルカラー複合装置１は、広告付きコピーモードが選択されていると、画像読み取り部５で読み取った原稿の画像全面の画像データに対して、画像処理制御部１０１が、ＯＣＲ（Optical Character Reader）機能処理を実行して、原稿画像中の文字サイズ、文字数、画像読み取り部５での原稿の読み取り方向に対する文字の記載方向等を把握する（ステップＳ３０１）。また、画像処理制御部１０１は、原稿画像データを、ＰＤＦ（Portable Document Format）ライブラリによってＰＤＦ化を行って（ステップＳ３０２）、文字、画像それぞれの領域毎（領域が複数ある場合には、領域毎）に、カラー／モノクロ及び領域の始点座標と終点座標を求め、この座標から求められる文字領域の面積の合計と画像領域の面積の合計を算出する（ステップＳ３０３）。次に、画像処理制御部１０１は、文字領域の面積の合計と画像領域の面積の合計を比較して、文字が多い原稿であるか、画像の多い原稿であるか（基本画像の文字と画像の比率）を判断して基本画像の画像特徴情報として取得する（ステップＳ３０４）。
【００５９】
ステップＳ３０４で、図１４に示すように、原稿が文字のみまたは所定割合以上に文字の多い原稿画像（以下、単に、多文字原稿画像という。）ＭＧｔである場合には、画像処理制御部１０１は、該多文字原稿画像ＭＧｔの画像がカラーであるかモノクロであるかのカラー／モノクロ判断を行い、該多文字原稿画像ＭＧｔの画像データと合成する広告画像データとして、予めハードディスク１０４や記録媒体ＫＢ等に保管されて用意されている広告画像データのうち、多文字原稿画像ＭＧｔがカラーの場合にはカラー、多文字原稿画像ＭＧｔが白黒の場合には白黒であって、かつ、主として画像によって作成された広告画像（以下、単に、画像中心の広告画像という。）ＣＧｐの画像データであり、原稿画像上の文字の方向に合わせた画像中心の広告画像ＣＧｐの画像データを選択する（ステップＳ３０５）。
【００６０】
画像処理制御部１０１は、画像中心の広告画像ＣＧｐの画像データを選択すると、図１５に示すように、多文字原稿画像ＭＧｔの画像データを所定の倍率で縮小して、縮小した多文字原稿画像ＭＧｔの画像データ及び縮小することで発生した空き領域を含めた全体画像領域を、上述のようにして選択された印刷用紙に対してセンタリングするセンタリング処理を行い（ステップＳ３０６）、該空き領域に対して、上述のようにして選択した画像中心の広告画像ＣＧｐの画像データを合成する広告画像合成処理を行う（ステップＳ３０７）。
【００６１】
また、画像処理制御部１０１は、ステップＳ３０４で、図１６に示すように、原稿が文字の少ないまたは文字のない原稿画像（以下、単に、少文字原稿画像という。）ＭＧｐである場合には、該少文字原稿画像ＭＧｐの画像がカラー画像であるのかモノクロ画像であるのかのカラー／モノクロ判断を行い、該少文字原稿画像ＭＧｐの画像データと合成する広告画像データとして、予めハードディスク１０４や記録媒体ＫＢ等に保管されて用意されている広告画像データのうち、図１７に示すように、少文字原稿画像ＭＧｐがカラーの場合にはカラー、少文字原稿画像ＭＧｐが白黒の場合には白黒であって、かつ、主として文字によって作成された広告画像（以下、単に文字中心の広告画像という。）ＣＧｔであり、原稿上の文字の方向に合わせた文字中心の広告画像ＣＧｔの画像データを選択する（ステップＳ３０８）。画像処理制御部１０１は、画像中心の広告画像ＣＧｐの画像データを選択すると、図１７に示すように、少文字原稿画像ＭＧｐの画像データを所定の倍率で縮小して、縮小した少文字原稿画像ＭＧｐの画像データ及び縮小することで発生した空き領域を含めた全体画像領域を、上記選択された印刷用紙に対してセンタリングするセンタリング処理を行い（ステップＳ３０６）、該空き領域に対して、上述のようにして選択した画像中心の広告画像ＣＧｔの画像データを合成する広告画像合成処理を行う（ステップＳ３０７）。
【００６２】
なお、上記説明では、広告画像を原稿画像の下部位置に合成する場合について説明したが、広告画像の原稿画像に対する合成位置は、上記原稿画像の下部位置に限るものではなく、例えば、原稿画像の上部位置、左側位置、右側位置のいずれか、または、複数の位置であってもよい。
【００６３】
また、上記広告画像合成処理においては、図１８に示すように、原稿画像データの文字の多少に基づいて白黒広告の中から広告画像を選択するようにしてもよい。なお、図１８においては、図１３の広告画像合成処理と同様の処理ステップには、同一のステップナンバを付して、その説明を簡略化する。
【００６４】
すなわち、デジタルカラー複合装置１は、図６のコピー処理のステップＳ１０８で、広告付きコピーモードが選択されていると、図１３の場合と同様に、画像読み取り部５で読み取った原稿の画像全面の画像データに対して、画像処理制御部１０１が、ＯＣＲ機能処理を実行して、文字サイズ、文字数、文字の記載方向等を把握し（ステップＳ３０１）、原稿画像データを、ＰＤＦライブラリによってＰＤＦ化して（ステップＳ３０２）、文字、画像それぞれの領域毎に、カラー／モノクロ及び領域の始点座標と終点座標を求めて、文字領域の面積の合計と画像領域の面積の合計を算出する（ステップＳ３０３）。次に、画像処理制御部１０１は、文字領域の面積の合計と画像領域の面積の合計を比較して、文字が多い原稿画像であるか、画像の多い原稿画像であるかを判断する（ステップＳ３０４）。
【００６５】
ステップＳ３０４で、例えば、図１９に示すように、原稿画像が、文字の領域が予め設定されている所定の領域面積よりも大きい多文字原稿画像ＭＧｔである場合には、該多文字原稿画像ＭＧｔが、カラーとモノクロのいずれの原稿画像であるかを判断して、カラー画像を含むカラー原稿画像（以下、単に、多文字カラー画像原稿画像という。）ＭＧｋｔであっても、該多文字原稿画像ＭＧｔ（多文字カラー画像原稿画像ＭＧｋｔを含む。）の画像データと合成する広告画像データとして、図２０に示すように、予めハードディスク１０４や記録媒体ＫＢ等に保管されて用意されている広告画像データのうち、白黒の広告画像であって、かつ、主として画像によって作成された広告画像（以下、単に、白黒画像中心の広告画像という。）ＣＧｗｐの画像データを選択する（ステップＳ４０１）。
【００６６】
画像処理制御部１０１は、白黒画像中心の広告画像ＣＧｗｐの画像データを選択すると、図２０に示すように、多文字原稿画像ＭＧｔ（多文字カラー画像原稿画像ＭＧｋｔを含む。）の画像データを所定の倍率で縮小して、縮小した多文字原稿画像ＭＧｔ（多文字カラー画像原稿画像ＭＧｋｔを含む。）の画像データ及び縮小することで発生した空き領域を含めた全体画像領域を、上記選択された印刷用紙に対してセンタリングするセンタリング処理を行い（ステップＳ３０６）、該空き領域に対して、上述のようにして選択した白黒画像中心の広告画像ＣＧｗｐの画像データを合成する広告画像合成処理を行う（ステップＳ３０７）。
【００６７】
また、画像処理制御部１０１は、ステップＳ３０４で、例えば、図２１に示すように、原稿画像が少文字原稿画像ＭＧｐである場合には、該少文字原稿画像ＭＧｐが、カラーとモノクロのいずれの原稿画像であるかを判断して、カラー画像を含むカラー原稿画像（以下、単に、少文字カラー画像原稿画像という。）ＭＧｋｐであっても、該少文字原稿画像ＭＧｐ（少文字カラー画像原稿画像ＭＧｋｐを含む。）の画像データと合成する広告画像データとして、図２２に示すように、予めハードディスク１０４や記録媒体ＫＢ等に保管されて用意されている広告画像データのうち、白黒の広告画像であって、かつ、主として文字によって作成された広告画像（以下、単に、白黒文字中心の広告画像という。）ＣＧｗｔの画像データを選択する（ステップＳ４０２）。
【００６８】
画像処理制御部１０１は、白黒文字中心の広告画像ＣＧｗｔの画像データを選択すると、図２２に示すように、少文字原稿画像ＭＧｐ（少文字カラー画像原稿画像ＭＧｋｐを含む。）の画像データを所定の倍率で縮小して、縮小した少文字原稿画像ＭＧｐ（少文字カラー画像原稿画像ＭＧｋｐを含む。）の画像データ及び縮小することで発生した空き領域を含めた全体画像領域を、上記選択された印刷用紙に対してセンタリングするセンタリング処理を行い（ステップＳ３０６）、該空き領域に対して、上述のようにして選択した白黒文字中心の広告画像ＣＧｗｔの画像データを合成する広告画像合成処理を行う（ステップＳ３０７）。
【００６９】
さらに、上記広告画像合成処理においては、図２３に示すように、原稿画像データの文字の多少及びカラーとモノクロのいずれであるかに基づいて広告画像を選択するようにしてもよい。なお、図２３においては、図１３の広告画像合成処理と同様の処理ステップには、同一のステップナンバを付して、その説明を簡略化する。
【００７０】
すなわち、デジタルカラー複合装置１は、図６のコピー処理のステップＳ１０８で、広告付きコピーモードが選択されていると、図１３の場合と同様に、画像読み取り部５で読み取った原稿の画像全面の画像データに対して、画像処理制御部１０１が、ＯＣＲ機能処理を実行して、文字サイズ、文字数、文字の記載方向等を把握し（ステップＳ３０１）、原稿画像データを、ＰＤＦライブラリによってＰＤＦ化して（ステップＳ３０２）、文字、画像それぞれの領域毎に、カラー／モノクロ及び領域の始点座標と終点座標を求めて、文字領域の面積の合計と画像領域の面積の合計を算出する（ステップＳ３０３）。次に、画像処理制御部１０１は、文字領域の面積の合計と画像領域の面積の合計を比較して、文字が多い原稿画像であるか、画像の多い原稿画像であるかを判断する（ステップＳ３０４）。
【００７１】
ステップＳ３０４で、原稿画像が多文字原稿画像ＭＧｔである場合には、該多文字原稿画像ＭＧｔが、コピーモードがカラーとモノクロのいずれであるかを判断して（ステップＳ５０１）、ステップＳ５０１で、カラーコピーモードが選択されていて、図１９に示したように、多文字であってカラー画像を含む多文字カラー画像原稿画像ＭＧｋｔであると、該多文字カラー画像原稿画像ＭＧｋｔの画像データと合成する広告画像データとして、予めハードディスク１０４や記録媒体ＫＢ等に保管されて用意されている広告画像データのうち、カラーの広告画像であって、かつ、画像と文字にいずれにも偏らず、標準の広告画像（以下、図示しないが、単に、カラー標準広告画像）の画像データを選択する（ステップＳ５０２）。画像処理制御部１０１は、カラー標準広告画像の画像データを選択すると、多文字カラー画像原稿画像ＭＧｋｔの画像データを所定の倍率で縮小して、縮小した多文字カラー画像原稿画像ＭＧｋｔの画像データ及び縮小することで発生した空き領域を含めた全体画像領域を、上記選択された印刷用紙に対してセンタリングするセンタリング処理を行い（ステップＳ３０６）、該空き領域に対して、上述のようにして選択したカラー標準広告画像の画像データを合成する広告画像合成処理を行う（ステップＳ３０７）。
【００７２】
ステップＳ５０１で、コピーモードがカラーコピーモードではなく、モノクロまたはモノカラーのコピーモードが選択されていると、すなわち、例えば、図２４に示すように、原稿画像が文字の多い原稿画像であって、かつ、白黒画像（モノクロ画像）を含む原稿画像（以下、単に、多文字白黒画像原稿画像という。）ＭＧｗｔであると、画像処理制御部１０１は、該多文字白黒画像原稿画像ＭＧｗｔの画像データと合成する広告画像データとして、図２５に示すように、予めハードディスク１０４や記録媒体ＫＢ等に保管されて用意されている広告画像データのうち、標準のモノカラーの広告画像（以下、単に、モノカラー標準広告画像という。）ＣＧｍｈの画像データを選択する（ステップＳ５０３）。
【００７３】
また、ステップＳ３０４で、原稿画像が、文字領域が予め設定されている所定領域面積よりも小さい少文字原稿画像ＭＧｐである場合には、該少文字原稿画像ＭＧｐが、コピーモードがカラーとモノクロのいずれであるかを判断して（ステップＳ５０４）、ステップＳ５０４で、カラーコピーモードが選択されていて、原稿画像が、図２１に示したような少文字であってカラー画像を含む少文字カラー画像原稿画像ＭＧｋｐであると、図２６に示すように、該少文字カラー画像原稿画像ＭＧｋｐの画像データと合成する広告画像データとして、予めハードディスク１０４や記録媒体ＫＢ等に保管されて用意されている広告画像データのうち、カラーの広告画像であって、かつ、主として文字を中心に作成された広告画像（以下、単に、カラー文字中心の広告画像という。）ＣＧｋｔの画像データを選択する（ステップＳ５０５）。画像処理制御部１０１は、カラー文字中心の広告画像ＣＧｋｔの画像データを選択すると、少文字カラー画像原稿画像ＭＧｋｐの画像データを所定の倍率で縮小して、縮小した少文字カラー画像原稿画像ＭＧｋｐの画像データ及び縮小することで発生した空き領域を含めた全体画像領域を、上記選択された印刷用紙に対してセンタリングするセンタリング処理を行い（ステップＳ３０６）、該空き領域に対して、上述のようにして選択したカラー文字中心の広告画像ＣＧｋｔの画像データを合成する広告画像合成処理を行う（ステップＳ３０７）。
【００７４】
ステップＳ５０４で、コピーモードがカラーコピーモードではなく、モノクロまたはモノカラーのコピーモードが選択されていると、すなわち、例えば、図２７に示すように、原稿画像が文字の少ない原稿画像または文字のみの原稿画像であって、かつ、白黒画像（モノクロ画像）を含む原稿画像（以下、単に、少文字白黒画像原稿画像という。）ＭＧｗｐであると、画像処理制御部１０１は、該少文字白黒画像原稿画像ＭＧｗｐの画像データと合成する広告画像データとして、図２８に示すように、予めハードディスク１０４や記録媒体ＫＢ等に保管されて用意されている広告画像データのうち、モノカラーの広告画像であって、かつ、主として文字によって作成された広告画像（以下、単に、モノカラー文字中心の広告画像という。）ＣＧｍｔの画像データ選択する（ステップＳ５０６）。画像処理制御部１０１は、モノカラー文字中心の広告画像ＣＧｍｔの画像データを選択すると、少文字白黒画像原稿画像ＭＧｗｐの画像データを所定の倍率で縮小して、縮小した少文字白黒画像原稿画像ＭＧｗｐの画像データ及び縮小することで発生した空き領域を含めた全体画像領域を、上記選択された印刷用紙に対してセンタリングするセンタリング処理を行い（ステップＳ３０６）、該空き領域に対して、上述のようにして選択したモノカラー文字中心の広告画像ＣＧｍｔの画像データを合成する広告画像合成処理を行う（ステップＳ３０７）。
【００７５】
また、上記広告画像合成処理においては、図２９に示すように、原稿画像データの文字の大小に基づいて文字の大きな広告または文字の小さな広告の中から広告画像を選択するようにしてもよい。なお、図２９においては、図１３の広告画像合成処理と同様の処理ステップには、同一のステップナンバを付して、その説明を簡略化する。
【００７６】
すなわち、デジタルカラー複合装置１は、図６のコピー処理のステップＳ１０８で、広告付きコピーモードが選択されていると、図１３の場合と同様に、画像読み取り部５で読み取った原稿の画像全面の画像データに対して、画像処理制御部１０１が、ＯＣＲ機能処理を実行して、文字サイズ、文字数、文字の記載方向等を把握し（ステップＳ３０１）、原稿画像データを、ＰＤＦライブラリによってＰＤＦ化して（ステップＳ３０２）、文字サイズ（文字の大きさ）毎の文字数を把握する（ステップＳ６０１）。次に、画像処理制御部１０１は、図３０に示すように、文字のサイズが予め設定されている所定の文字サイズよりも大きい文字サイズの文字の文字数が予め設定されている数または領域面積以上の原稿画像（以下、単に、大文字原稿画像という。）ＭＧｇｔであるかいなかを判断する（ステップＳ６０２）。
【００７７】
ステップＳ６０２で、例えば、図３０に示すように、原稿画像が大文字原稿画像ＭＧｇｔである場合には、該大文字原稿画像ＭＧｇｔの画像データと合成する広告画像データとして、図３１に示すように、予めハードディスク１０４や記録媒体ＫＢ等に保管されて用意されている広告画像データのうち、主として予め設定されている文字サイズよりも小さい文字サイズの文字によって作成された広告画像（以下、単に、小文字中心の広告画像という。）ＣＧｓｔの画像データを選択する（ステップＳ６０３）。なお、図３０及び図３１では、原稿画像が、２４ポイントの文字と画像で構成されている大文字原稿画像ＭＧｇｔを示している。
【００７８】
画像処理制御部１０１は、小文字中心の広告画像ＣＧｓｔの画像データを選択すると、図３１に示すように、大文字原稿画像ＭＧｇｔの画像データを所定の倍率で縮小して、縮小した大文字原稿画像ＭＧｇｔの画像データ及び縮小することで発生した空き領域を含めた全体画像領域を、上記選択された印刷用紙に対してセンタリングするセンタリング処理を行い（ステップＳ３０６）、該空き領域に対して、上述のようにして選択した小文字中心の広告画像ＣＧｓｔの画像データを合成する広告画像合成処理を行う（ステップＳ３０７）。
【００７９】
また、画像処理制御部１０１は、ステップＳ６０２で、例えば、図３２に示すように、原稿画像が予め設定されている文字サイズよりも小さい文字サイズの文字数が予め設定されている所定数または所定領域面積以上の原稿画像（以下、単に、小文字原稿画像という。）ＭＧｓｔである場合には、該小文字原稿画像ＭＧｓｔの画像データと合成する広告画像データとして、図３３示すように、予めハードディスク１０４や記録媒体ＫＢ等に保管されて用意されている広告画像データのうち、主として予め設定されている文字サイズよりも大きい文字サイズの文字によって作成された広告画像（以下、単に、大文字中心の広告画像という。）ＣＧｇｔの画像データを選択する（ステップＳ６０４）。なお、図３２及び図３３では、原稿画像が１２ポイントの文字と画像で構成されている小文字原稿画像ＭＧｓｔを示している。
【００８０】
画像処理制御部１０１は、大文字中心の広告画像ＣＧｇｔの画像データを選択すると、図３３に示すように、小文字原稿画像ＭＧｓｔの画像データを所定の倍率で縮小して、縮小した小大文字原稿画像ＭＧｓｔの画像データ及び縮小することで発生した空き領域を含めた全体画像領域を、上記選択された印刷用紙に対してセンタリングするセンタリング処理を行い（ステップＳ３０６）、該空き領域に対して、上述のようにして選択した大文字中心の広告画像ＣＧｇｔの画像データを合成する広告画像合成処理を行う（ステップＳ３０７）。
【００８１】
また、デジタルカラー複合装置１は、図４の初期画面Ｇ１において、「デジタルカメラプリント」の機能ボタンが選択操作されると、図３４に示すように、「通常印刷」と「広告付き印刷」のいずれかの印刷モード（印刷方法）を選択させる印刷モード選択画面Ｇ８を操作表示部６の表示部６ａに表示し、図３５及び図３６に示すように、選択された印刷モードに応じた印刷処理を実行する。印刷モード選択画面Ｇ８は、図３４に示したように、印刷モードとして、外部メディア入出力部８に装着された外部メディアから読み取った外部メディアの画像データである基本画像データに広告画像データを付加することなく、基本画像のみを印刷部４で用紙に印刷出力する通常印刷モードを選択する「通常印刷」の機能ボタンと、基本画像データに広告画像データを付加した合成画像データを生成して、生成した合成画像を印刷部４で用紙に印刷出力する広告付き印刷モードを選択する「広告付き印刷」の機能ボタンと、を表示している。この「通常印刷」モードでは、例えば、図３７（ａ）に示すように、画像エリア（画像領域）に広告エリア（広告領域）を設けることなく、全ての画像エリアに、例えば、複数枚（８枚等）の写真画像を一覧印刷し、「広告付き印刷」モードでは、図３７（ｂ）に示すように、画像エリアの一部（図３７では、下部）に広告エリアを設け、該広告エリアに広告画像を上部の画像エリアに、複数枚（６枚等）の写真画像を一覧印刷する。
【００８２】
デジタルカラー複合装置１は、図３５に示すように、印刷モード選択画面Ｇ８で、「通常印刷」と「広告付き印刷」のいずれかの印刷モード（印刷方法）が選択されると、画像処理制御部１０１が、基本画像の画像特徴情報の１つとして取得して（ステップＳ７０１）、図３８に示すようなメディア選択画面Ｇ９を操作表示部６の表示部６ａに表示して、基本画像を読み取る外部メディアの選択を促す（ステップＳ７０２）。このメディア選択画面Ｇ９は、図３８の場合、デジタルスチルカメラで撮像（撮影）された撮像画像（写真画像）の画像データを保管する記録媒体ＫＢとして、「ＵＳＢメモリ」、「ＳＤカード」、「メモリースティック／メモリースティックデュオ」、「コンパクトフラッシュ」の中からメディアを選択する表示となっているが、選択対象とする外部メディアは、これらに限るものではない。
【００８３】
デジタルカラー複合装置１は、メディア選択画面Ｇ９で読み取り対象の外部メディアの選択が行われると、図３９に示すように、画像の印刷フォームの選択を行わせるフォーム選択画面Ｇ１０を操作表示部６の表示部６ａに表示して、画像の印刷フォームの選択を促す（ステップＳ７０３）。このフォーム選択画面Ｇ１０は、図３９の場合、８つのフォームから適宜選択可能な画面となっている。
【００８４】
デジタルカラー複合装置１は、図３９のフォーム選択画面Ｇ１０で印刷フォームが選択されると、画像処理制御部１０１が、基本画像の画像特徴情報の１つとして取得して、図４０に示すように、印刷タイプを選択させる印刷タイプ選択画面Ｇ１１を操作表示部６の表示部６ａに表示して、印刷タイプの選択を促す（ステップＳ７０４）。この印刷タイプ選択画面Ｇ１１は、図４０の場合、「繰り返し印刷」と「一覧印刷」から選択可能な画面となっている。
【００８５】
デジタルカラー複合装置１は、図４０の印刷タイプ選択画面Ｇ１１で印刷タイプが選択されると、画像処理制御部１０１が、基本画像の画像特徴情報の１つとして取得して、図４１に示すように、画像を印刷出力する用紙を選択させる用紙選択画面Ｇ１２を操作表示部６の表示部６ａに表示して、画像を印刷出力する用紙（用紙サイズ等）の選択を促す（ステップＳ７０５）。この用紙選択画面Ｇ１２は、図４１では、印刷部４で画像を印刷出力する用紙を、「Ａ４」、「Ａ３」、「Ｂ５」、「Ｂ４」から選択する画面となっている。
【００８６】
デジタルカラー複合装置１は、図４１の用紙選択画面Ｇ１２で印刷出力する用紙が選択されると、画像処理制御部１０１が、基本画像の画像特徴情報の１つとして取得して、図４２に示すように、印刷出力する写真を選択する写真選択画面Ｇ１３を操作表示部６の表示部６ａに表示して、ユーザが印刷を行いたい写真画像の選択を促す（ステップＳ７０６）。この写真選択画面Ｇ１３は、図４２では、外部メディア入出力部８に挿入されている外部メディアである記録媒体ＫＢに保管されている写真画像を表示するとともに、選択の終了を示す「選択終了」の機能ボタンを表示している画面となっている。
【００８７】
デジタルカラー複合装置１は、写真選択画面Ｇ１３で写真の選択が行われて、「選択終了」ボタンが押下されると（ステップＳ７０７）、選択された写真画像を、上述のようにして選択されている印刷フォームにはめ込み（ステップＳ７０８）、ステップＳ７０１で選択された印刷モード（印刷方法）が広告付き印刷モードであるか否かチェックする（ステップＳ７０９）。
【００８８】
ステップＳ７０９で、印刷モードが広告付き印刷モードであると、デジタルカラー複合装置１は、図４３に示すように、写真画像と合成する広告画像データとして、予めハードディスク１０４や記録媒体ＫＢ等に保管されて用意されている広告画像データのうち、例えば、図４４に示すように、主として文字によって作成された広告画像（文字中心の広告画像）ＣＧｔの画像データを選択し（ステップＳ７１０）、選択した広告画像を写真画像のはめ込まれた印刷フォームに差し込んで合成する広告画像合成処理を行う（ステップＳ７１１）。
【００８９】
デジタルカラー複合装置１は、広告画像合成処理を行うと、広告画像を付加することで、課金料金を広告付き印刷に対して設定されている料金である広告付き課金料金に設定して（ステップＳ７１２）、図３６の処理に移行して、上述のようにして広告画像合成処理によって生成した合成画像の印刷イメージを生成して、図４４に示すように、印刷イメージ画面Ｇ１４として、操作表示部６の表示部６ａに表示し（ステップＳ７１３）、操作部６ｂでスタートキーが押下（入力）操作されるのを待つ（ステップＳ７１４）。
【００９０】
ステップＳ７１４でスタートキーが押下操作されると、デジタルカラー複合装置１は、料金不足が発生していないかチェックし（ステップＳ７１５）、料金不足が発生しているときには、図７に示した料金投入指示画面Ｇ３を操作表示部６の表示部６ａに表示して、料金の入力（コイン入力）があったかチェックして（ステップＳ７１６）、料金の入力があると、ステップＳ７１４に戻ってスタートキー入力の有無からチェックする（ステップＳ７１４）。
【００９１】
ステップＳ７１４で、スタートキーが入力されて、ステップＳ７１５で、料金不足が発生していないときには、デジタルカラー複合装置１は、上述のようにして合成画像データを印刷制御部１０２に渡して印刷部４によって上記指定の用紙に印刷出力し（ステップＳ７１７）、印刷が完了すると、上記広告付き印刷の課金料金による課金処理を行って印刷処理を終了する（ステップＳ７１８）。広告付き印刷の課金料金は、広告付きコピーの場合と同様に、広告依頼主から徴収する広告料金に応じて適宜設定される。
【００９２】
そして、上記ステップＳ７０９において、ステップＳ７０１で選択された印刷方法が「通常印刷」が選択されていると、広告画像データの合成を行うことなく、ステップＳ７１３に移行して、ステップＳ７０８において印刷フォームに画像をはめ込んだ画像データから印刷イメージを生成して印刷イメージ画面Ｇ１４として、操作表示部６の表示部６ａに表示し（ステップＳ７１３）、操作部６ｂでスタートキーが押下（入力）操作されるのを待つ（ステップＳ７１４）。
【００９３】
ステップＳ７１４でスタートキーが押下操作されると、デジタルカラー複合装置１は、料金不足が発生していないかチェックし（ステップＳ７１５）、料金不足が発生しているときには、図７に示した料金投入指示画面Ｇ３を操作表示部６の表示部６ａに表示して、料金の入力（コイン入力）があったかチェックして（ステップＳ７１６）、料金の入力があると、ステップＳ７１４に戻ってスタートキー入力の有無からチェックする（ステップＳ７１４）。
【００９４】
ステップＳ７１４で、スタートキーが入力されて、ステップＳ７１５で、料金不足が発生していないときには、デジタルカラー複合装置１は、上述のようにして生成した通常印刷であって指定された印刷フォームに画像をはめ込んだ画像データを印刷制御部１０２に渡して印刷部４によって上記指定の用紙に印刷出力し（ステップＳ７１７）、印刷が完了すると、上記通常印刷の課金料金による課金処理を行って印刷処理を終了する（ステップＳ７１８）。
【００９５】
そして、デジタルカラー複合装置１は、図３５のステップＳ７０１における印刷モードの選択処理を図４５に示すように行う。すなわち、デジタルカラー複合装置１は、図３４に示した印刷モード選択画面Ｇ８において印刷モードの選択を行うキー入力があるのを待ち（ステップＳ８０１）、操作部６ｂでの入力操作またはタッチパネル６ｃでのタッチ操作によってキー入力があると、キー入力で、印刷モードとして、「広告付き印刷」が選択されたか、「通常印刷」が選択されたかをチェックする（ステップＳ８０２）。
【００９６】
デジタルカラー複合装置１は、ステップＳ８０２で、「広告付き印刷」が選択されると、印刷モードとして広告付き印刷モードを設定して印刷モード選択処理を終了し（ステップＳ８０３）、ステップＳ８０２で、「通常印刷」が選択されると、印刷モードとして通常印刷モードを設定して印刷モード選択処理を終了する。
【００９７】
このように、本実施例のデジタルカラー複合装置１は、画像読み取り部５で読み取った原稿の読み取り画像や記録媒体ＫＢから読み取った写真画像等の基本画像の特徴を示す画像特徴情報を画像処理制御部１０１が取得して、該基本画像の画像特徴情報に基づいて、付加画像の画像データを複数種類保管するハードディスク１０４等から該基本画像の画像データに対応させて合成画像として割り付ける付加画像の画像データを選択し、該基本画像の画像データと該付加画像の画像データを、複数の画像領域を有する出力フォーム等の所定の出力形式における該画像領域に割り付けて合成画像データを生成している。
【００９８】
したがって、基本画像の画像特徴に応じて付加画像を選択することができ、基本画像の画像品質を適切に保持することができるとともに、付加画像を強調させる合成画像を生成することができる。
【００９９】
また、本実施例のデジタルカラー複合装置１は、原稿の画像を読み取る画像読み取り部５によって読み取られた読み取り画像データとデジタルカメラ等の撮像手段によって撮像された撮像画像データである写真画像データを基本画像の画像データとして取得し、取得した基本画像の画像データが、読み取り画像データであるか写真画像データであるかの情報を画像特徴情報として取得している。
【０１００】
したがって、原稿を読み取った読み取り画像データと写真画像データの画像品質を保持することができるとともに、それぞれの種類の画像データに対して適切に強調させることのできる付加画像（広告画像等）を選択して合成画像を生成することができる。
【０１０１】
さらに、本実施例のデジタルカラー複合装置１は、基本画像における文字と画像の比率、前記出力形式がカラー出力であるかモノクロ出力であるかの出力カラーモード及び文字のサイズのうち少なくとも１つを画像特徴情報として取得している。
【０１０２】
したがって、例えば、基本画像が、多文字のときには、画像の付加画像（広告画像等）を、少文字のときには、文字の付加画像を、カラー出力の場合には、白黒の付加画像を、白黒出力のときには、単色の付加画像を、小文字の場合には、大文字の付加画像を、大文字の場合には、小文字の付加画像を、それぞれ選択して合成画像を生成することができ、基本画像の画像品質をより一層適切に保持することができるとともに、付加画像をより一層強調させる合成画像を生成することができる。
【０１０３】
また、本実施例のデジタルカラー複合装置１は、付加画像の画像データを、カラー画像であるか白黒画像であるかのカラー種別、文字と画像の比率及び文字の大きさ等の付加画像種別であるカテゴリ毎に分類してハードディスク１０４または記録媒体ＫＢに保管し、画像特徴情報に基づいて付加画像のカテゴリを選択して該カテゴリに属する付加画像の画像データを選択している。
【０１０４】
したがって、基本画像の画像品質をより一層適切に保持することができるとともに、広告画像等の付加画像をより一層強調させる付加画像を適切かつ簡単に選択することができる。具体的には、カラーコピーの場合、広告画像を白黒画像とすることで、カラー原稿画像に対してカラーの広告画像よりも目立つ白黒画像の広告とすることができ、また、白黒コピーの場合、広告画像を単色カラー画像とすることで、コピー料金増やすことなく、白黒の原稿画像に対して白黒の広告画像よりも目立つ単色カラー画像の広告とすることができる。さらに、文字が大きい原稿画像の場合、比較的小さい文字で作成された広告画像とし、文字が小さい原稿画像の場合、比較的大きい文字で作成された広告を選択して合成することができ、基本画像の画像品質を維持しつつ、広告画像をより一層目広告効果の大きい画像とすることができる。
【０１０５】
さらに、本実施例のデジタルカラー複合装置１は、取得した基本画像の向き情報をも取得し、取得した基本画像の向き情報に基づいて基本画像の画像データと付加画像の画像データをその向きを合わせて割り付けて合成画像データを生成している。
【０１０６】
したがって、基本画像と付加画像の向きを適切に合わせて合成画像データを生成することができ、合成画像の画像品質を向上させることができる。
【０１０７】
また、本実施例のデジタルカラー複合装置１は、出力形式である印刷フォーム、カラーモード、出力用紙、濃度等を設定する出力形式設定手段である操作表示部６を備えており、画像処理制御部１０１は、基本画像の画像データと付加画像の画像データを操作表示部６で設定された出力形式の画像領域に割り付けて合成画像データを生成している。
【０１０８】
したがって、ユーザの意図する出力形態で、基本画像の画像品質をより一層適切に保持することができるとともに、付加画像をユーザの意図に応じて強調させた合成画像を生成することができる。
【０１０９】
さらに、本実施例のデジタルカラー複合装置１は、付加画像として、広告画像を用いている。
【０１１０】
したがって、読み取り画像や写真画像等の基本画像の画像品質を適切に保持しつつ、広告画像を強調させた合成画像を生成することができ、広告効果を向上させることができる。
【０１１１】
また、本実施例のデジタルカラー複合装置１は、読み取り画像データにＯＣＲ処理を行い、ＰＤＦライブラリを用いて該読み取り画像データの向き、文字と画像の比率、文字大きさ等の画像特徴情報を取得している。
【０１１２】
したがって、基本画像である読み取り画像の画像データの向き、文字と画像の比率、文字の大きさ等の画像特徴情報を簡単かつ適切に取得することができ、基本画像の画像品質をより一層適切に保持しつつ、広告画像を強調させた合成画像を生成することができる。
【０１１３】
さらに、本実施例のデジタルカラー複写装置１は、出力形態として、「デジタルカメラプリント」で、「広告付き印刷」が選択されると、主として文字によって作成された広告画像（文字中心の広告画像）ＣＧｔの画像データを選択して、指定された印刷フォーム上に用意されている画像エリアに写真画像を、広告エリアに文字中心の広告画像ＣＧｔの画像データを割り当てて合成画像を生成している。
【０１１４】
したがって、写真画像の画像品質を維持しつつ、広告画像を強調させた合成画像を生成することができる。
【０１１５】
なお、上記付加画像である広告画像を基本画像である読み取り画像や写真画像に付加して合成する場合、基本画像と付加画像との間に境界線を挿入してもよく、この境界線としては、各色のラインや各種ライン（破線、一点鎖線、模様線、実線等）を用いることができる。
【０１１６】
このようにすると、基本画像と付加画像を明確に区別しつつ、付加画像を強調させることもできる。
【０１１７】
また、上記説明では、付加画像である広告画像が予めハードディスク１０４を付加画像保管手段として、カテゴリー（付加画像種別）毎に分類された状態で保管されているものとして説明したが、付加画像は、ハードディスク１０４に保管されている場合に限るものではなく、例えば、ハブ１０に接続されているネットワークＮＷ上のサーバ等の外部装置に保管されていてもよいし、その他のメモリ等に保管されていてもよい。
【０１１８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【０１１９】
本発明は、読み取り画像、編集画像、写真画像等の各種基本画像に、広告画像等の付加画像を合成する複合装置、複写装置、スキャナ装置、コンピュータ等の画像処理装置及び該画像処理装置での画像合成処理を実行する画像処理方法、画像処理装置で読み取り可能であって該画像処理方法を実行させる画像処理プログラム及び該画像処理プログラムを記録した記録媒体に利用することができる。
【符号の説明】
【０１２０】
１  デジタルカラー複合装置
２  本体筐体
３  給紙部
３ａ  給紙トレイ
４  印刷部
５  画像読み取り部
６  操作表示部
６ａ  表示部
６ｂ  操作部
６ｃ  タッチパネル
７  ＡＤＦ
８  外部メディア入出力部
１０  ハブ
ＫＢ  記録媒体
ＮＷ  ネットワーク
１００  画像処理ユニット部
１０１  画像処理制御部
１０２  印刷制御部
１０３  画像読み取り制御部
１０４  ハードディスク
１０５  ＦＡＸ制御部
１０６  ＬＡＮ制御部
１０７  操作入力制御部
１０８  表示制御部
１０９  制御パネルＩ／Ｆ
１１１  ＣＰＵ
１１２  ＲＯＭ
１１３  ＳＤＲＡＭ
１１４  ＮＶＲＡＭ
２００  情報処理ユニット部
２０１  ＣＰＵ
２０２  メモリ部
２０３  ＬＡＮ制御部
２０４  記憶部
２０５  記憶制御部
２０６  表示制御部
２０７  操作入力制御部
２０８  制御パネルＩ／Ｆ
２０９  制御パネル通信部
２１０  入出力デバイス制御部
２１１  各種インターフェイス
【先行技術文献】
【特許文献】
【０１２１】
【特許文献１】特開平１１−２６１７９８号公報
【図１】
2010252163.tif 000003
【図２】
2010252163.tif 000004
【図３】
2010252163.tif 000005
【図４】
2010252163.tif 000006
【図５】
2010252163.tif 000007
【図６】
2010252163.tif 000008
【図７】
2010252163.tif 000009
【図８】
2010252163.tif 000010
【図９】
2010252163.tif 000011
【図１０】
2010252163.tif 000012
【図１１】
2010252163.tif 000013
【図１２】
2010252163.tif 000014
【図１３】
2010252163.tif 000015
【図１４】
2010252163.tif 000016
【図１５】
2010252163.tif 000017
【図１６】
2010252163.tif 000018
【図１７】
2010252163.tif 000019
【図１８】
2010252163.tif 000020
【図１９】
2010252163.tif 000021
【図２０】
2010252163.tif 000022
【図２１】
2010252163.tif 000023
【図２２】
2010252163.tif 000024
【図２３】
2010252163.tif 000025
【図２４】
2010252163.tif 000026
【図２５】
2010252163.tif 000027
【図２６】
2010252163.tif 000028
【図２７】
2010252163.tif 000029
【図２８】
2010252163.tif 000030
【図２９】
2010252163.tif 000031
【図３０】
2010252163.tif 000032
【図３１】
2010252163.tif 000033
【図３２】
2010252163.tif 000034
【図３３】
2010252163.tif 000035
【図３４】
2010252163.tif 000036
【図３５】
2010252163.tif 000037
【図３６】
2010252163.tif 000038
【図３７】
2010252163.tif 000039
【図３８】
2010252163.tif 000040
【図３９】
2010252163.tif 000041
【図４０】
2010252163.tif 000042
【図４１】
2010252163.tif 000043
【図４２】
2010252163.tif 000044
【図４３】
2010252163.tif 000045
【図４４】
2010252163.tif 000046
【図４５】
2010252163.tif 000047